(57)【特許請求の範囲】
【請求項１】
容器（３）口部に組付けられ、該容器（３）内に連通した流路を有すると共に、該流路に連通したシリンダ（７）を一体設した本体（１）と、一端が該本体（１）に枢着された操作レバー（１４）と、一端が該操作レバー（１４）に枢止連結され、他端部分が前記シリンダ（７）内に進退可能に収容されたピストン（１７）と、一端部分が前記本体（１）の両側面に固定され、他端の押圧面（１３）が前記操作レバー（１４）の、両側端にガイド突片（１９）を立設した受圧面（１８）に摺動可能に弾接して、該操作レバー（１４）を復帰方向に弾発する一対の細長Ｕ字形状のばね（１１）と、を設けて成る、全構成部分を合成樹脂製とした手動ポンプ。
【発明の詳細な説明】
【０００１】
【発明の属する技術分野】
本発明は、容器の口部に組付けられ、レバー操作により容器の内容液を吸い上げ、注出する手動ポンプに関するものである。
【０００２】
【従来の技術】
容器内の洗剤、殺虫剤等を注出あるいは噴霧するこの種の手動ポンプは、容器内部に連通したシリンダと、操作レバーに枢止連結され、このシリンダ内を進退するピストンと、シリンダ内に、このシリンダとピストンとの間に介装され、ピストンを介して操作レバーを復帰方向に弾発するコイルばねとを備えており、操作レバーを把握操作することにより、ピストンを後退させ、シリンダ内の内容液を圧送して注出口から注出し、操作レバーを解放操作することにより、コイルばねを介してピストンを前進させ、シリンダ内の負圧により、容器内の内容液をシリンダ内に吸い上げるように構成されている。
【０００３】
【発明が解決しようとする課題】
しかしながら、上記した従来技術にあっては、操作レバーの復帰用弾発手段として、前記のようにシリンダ内の小さいスペースに収納されたコイルばねを使用しているので、その弾性機能部分としてのストロークが短く、そのため、コイルばねを圧縮させる操作レバーの把握操作に比較的大きな力を必要とし、特に把握操作の後半ほど強い力が必要になるため、操作性が劣るという問題があった。
【０００４】
また、コイルばねはシリンダ内に収納され、内容液と接触するので、金属製のコイルばねを使用した場合には、耐内容物性の問題から内容液の種類が制約されるという難点があり、合成樹脂製のコイルばねを使用した場合には、耐内容物性の問題は無くなるが、弾力不足および早期弾性劣化により、操作性が悪くなり易いという問題があった。
【０００５】
さらに、シリンダ外に金属製のコイルばねを装着して、耐内容物性を高めるようにしたものもあるが、分別回収の手間がかかると云う問題があった。
【０００６】
そこで、本発明は、上記した従来技術における問題点を解消すべく創案されたもので、手動ポンプにおける操作レバー復帰用ばねの弾性機能部分を長くすることを技術的課題とし、もって操作レバーの操作性を向上させ、このばねによる内容液の制約を無くし、さらに廃棄処理時の分別回収の必要を無くすことができるようにすることを目的とする。
【０００７】
【課題を解決するための手段】
上記技術的課題を解決する本発明の手段は、
容器口部に組付けられ、この容器内に連通した流路を有すると共に、この流路に連通したシリンダを一体設した本体を有すること、
一端が本体に枢着された操作レバーを有すること、
一端が操作レバーに枢止連結され、他端部分が本体のシリンダ内に進退可能に収容されたピストンを有すること、
一端部分が本体の両側面に固定され、他端の押圧面が操作レバーの、両側端にガイド突片を立設した受圧面に摺動可能に弾接して、操作レバーを復帰方向に弾発する一対の細長Ｕ字形状のばねを有すること、
全構成部分を合成樹脂製とすること、
にある。
【０００８】
操作レバーをばねの弾発力に抗して把握操作すると、ピストンが後退してシリンダ内の内容液を圧送し、本体内の流路を経由して注出され、また、操作レバーを解放すると、ばねの弾発力により操作レバーが復帰すると共に、ピストンが前進してシリンダ内が負圧になり、容器の内容液をシリンダ内に吸い上げる。
【０００９】
ここにおいて、ばねは、本体の両側面に取付けられた細長Ｕ字形状の構造となっているので、その長さを長く設定できると共に、その略全長を弾性機能部分として利用することができ、そのため、操作レバーの把握操作をその操作全体に亘って平均した適度な操作力で達成することができる。
【００１０】
また、ばねは、本体の両側面に一対設けてあるので、ばねにかかる負担が分散軽減され、弾性劣化し難くなるため、ばねの耐久性が向上する。さらに、操作レバーの受圧面に対するばねの押圧面の摺動可能な弾接は、ガイド突片でガイドされているので、外れることなく確実に維持される。
【００１１】
全構成部分が合成樹脂製であるので、廃棄時に合成樹脂部分と金属部分とを分別して回収する必要が全くなく、廃棄処理が簡便となる。
【００１２】
【発明の実施の形態】
以下、本発明の一実施例を図面を参照しながら説明する。
図１は、噴霧器として構成されている手動ポンプを、取付けキャップ４により容器３の口部に螺合組付けした状態を示すもので、カバー２１で覆った本体１の先端には、ノズル口を有するノズルヘッド２が設けてあり、その全体が合成樹脂製となっている。
【００１３】
本体１は、図２に示すように、取付けキャップ４により容器３口部の上端に組付く組付き筒５の上部に、吸い上げパイプ２０を介して容器３内に連通し、かつ途中の適所に弁機構を設けた流路を内部に有する縦筒６を立設し、この縦筒６の前部に、縦筒６内と連通したシリンダ７を一体設すると共に、縦筒６の上端前部には、縦筒６内およびノズルヘッド２内に連通した流路を内部に有する横筒８を一体設して構成されている。
【００１４】
横筒８の上部には、図３に示すように、前部両側端に側壁１０を垂下設すると共に、後部両側端にＵ字状ばね１１の上側先端部を固着した枠体９が一体に組付けられている。
【００１５】
ばね１１は、合成樹脂製の板により細長Ｕ字形状に成形されていて、その下側先端部分１２は肉薄に形成されていると共に、その先端下面を湾曲状にして押圧面１３に形成されている。
【００１６】
枠体９の側壁１０の両外面には、操作レバー１４の二又状となった上端部（図４参照）が、軸１５によって枢着されていると共に、この操作レバー１４の中央部よりやや上部には、シリンダ７内を進退するピストン１７の先端部が、軸１６によって枢止連結されている。
【００１７】
操作レバー１４の二又状の上端部後面には、ばね１１の押圧面１３を摺動可能に受ける下り勾配の受圧面１８がそれぞれ形成されていると共に、各受圧面１８の両側端にはそれぞれ一対のガイド突片１９が立設されていて、ばね１１の下側先端部分１２をこのガイド突片１９間でガイドする。
【００１８】
【発明の効果】
本発明は、上記した構成となっているので、以下に示す効果を奏する。
操作レバーの復帰用弾発手段として、本体の両側面に取付けられた細長Ｕ字形状のばねが使用されているので、その弾発作用部分の長さを長く設定できると共に、その略全長を弾性機能部分として利用することができ、従って、操作レバーの把握操作をその操作全体に亘って平均した適度な操作力で達成することができるため、操作レバーの操作性が大幅に向上する。
【００１９】
また、ばねは、本体の両側面に一対設けるので、ばねにかかる負担が分散軽減され、弾性劣化し難くなるため、ばねの耐久性が向上し、操作性の劣化が防止される。
【００２０】
さらに、ばねは、容器の内容液と接触しない、本体の両側面に設けるので、耐内容物性を考慮する必要は無く、内容物の種類が制約されることは全く無い。
【００２１】
またさらに、手動ポンプ全体を、合成樹脂製の構成部分の組合せで構成したので、廃棄処理時に分別回収の必要がなく、もって安全で効率の良い廃棄処理を行うことができる。
【図面の簡単な説明】
【図１】本発明の一実施例を容器に組付けた状態を示す、全体側面図。
【図２】図１に示した実施例の、カバーを省略して示した側面図。
【図３】図１に示した実施例の、枠体およびばねを示す側面図。
【図４】図１に示した実施例の、操作レバーを示す背面図。
【符号の説明】
１  ；  本体
２  ；  ノズルヘッド
３  ；  容器
４  ；  取付けキャップ
５  ；  組付き筒
６  ；  縦筒
７  ；  シリンダ
８  ；  横筒
９  ；  枠体
１０；  側壁
１１；  ばね
１２；  下側先端部分
１３；  押圧面
１４；  操作レバー
１５；  軸
１６；  軸
１７；  ピストン
１８；  受圧面
１９；  ガイド突片
２０；  吸い上げパイプ
２１；  カバー
【図１】
0003765068.tif 000002
【図２】
0003765068.tif 000003
【図３】
0003765068.tif 000004
【図４】
0003765068.tif 000005